(57)【要約】  インテリジェント支援制御方法および端末デバイスが提供される。本方法は、端末デバイスによってレンズを起動するステップと、端末デバイスによって、表示画面上にプレビューインターフェースを表示するステップであって、プレビューインターフェースは、撮影対象を含む、ステップと、プレビューインターフェースが予め設定された期間にわたって安定して表示されたと端末デバイスが判定した場合に、端末デバイスによって、撮影モードの第1のプロンプト情報をプレビューインターフェースに表示するステップであって、第1のプロンプト情報は、第1の撮影モードをユーザに推奨するために使用され、第1の撮影モードは、端末デバイスによって撮影対象のシーンの情報に基づいて判定される、ステップとを含む。この方法において、プレビューインターフェースが安定して出力されたと判定した後、端末デバイスは、ユーザが撮影角度を決定したとみなし、次に、最適な撮影モードをユーザに推奨する。この方法において、インテリジェンスが改善され、ユーザエクスペリエンスが向上する。
2021517413.tif 000002
【特許請求の範囲】
【請求項１】
インテリジェント支援制御方法であって、前記方法は、
端末デバイスによってレンズを起動するステップと、
前記端末デバイスによって、表示画面上にプレビューインターフェースを表示するステップであって、前記プレビューインターフェースは、撮影対象を含む、ステップと、
前記プレビューインターフェース内の前記撮影対象が予め設定された期間にわたって安定して表示されたと前記端末デバイスが判定した場合に、前記端末デバイスによって、撮影モードの第1のプロンプト情報を前記プレビューインターフェースに表示するステップであって、前記第1のプロンプト情報は、第1の撮影モードをユーザに推奨するために使用され、前記第1の撮影モードは、前記端末デバイスによって前記撮影対象のシーンの情報に基づいて判定される、ステップと
を含む、インテリジェント支援制御方法。
【請求項２】
前記プレビューインターフェース内の前記撮影対象が予め設定された期間にわたって安定して表示された後に、前記方法は、
前記端末デバイスによって、前記撮影対象に含まれる少なくとも1つのタイプのシーンの情報を識別するステップ、
前記撮影対象が1つのタイプのシーンの情報を含む場合に、前記端末デバイスによって、前記シーンの情報、およびシーンの情報と撮影モードとの間の第1のマッピング関係に基づいて、前記シーンの情報に対応する前記第1の撮影モードを判定するステップ、または
前記撮影対象が少なくとも2つのタイプのシーンの情報を含む場合に、前記端末デバイスによって、前記シーンの情報、およびシーンの情報と撮影モードとの間の第1のマッピング関係に基づいて、少なくとも2つの撮影モードを取得するために前記少なくとも2つのタイプのシーンの情報のそれぞれに対応する撮影モードを判定するステップ、および
前記端末デバイスによって、優先度ポリシーに従って前記少なくとも2つの撮影モードの中から前記第1の撮影モードを選択するステップであって、前記優先度ポリシーは、前記少なくとも2つの撮影モードの優先度を含む、ステップ
をさらに含む、請求項1に記載の方法。
【請求項３】
前記プレビューインターフェースが前記予め設定された期間にわたって安定して表示される前に、前記方法は、
前記端末デバイスによって、プレビューインターフェースのn個のフレームを収集するステップであって、nは、1以上の整数である、ステップと、
前記端末デバイスによって、プレビューインターフェースの前記n個のフレームのそれぞれに含まれる前記撮影対象の、少なくとも1つのタイプのシーンの情報を識別するステップと、
前記端末デバイスによって、前記少なくとも1つのタイプのシーンの情報に基づいて、プレビューインターフェースの前記フレームのそれぞれに適合する撮影モードを判定するステップと
をさらに含み、
前記プレビューインターフェース内の前記撮影対象が予め設定された期間にわたって安定して表示された場合に前記端末デバイスによって第1のプロンプト情報を出力する前記ステップは、
前記プレビューインターフェースが前記予め設定された期間にわたって安定して表示された場合に、前記端末デバイスによって、前記プレビューインターフェースに前記第1のプロンプト情報を表示するステップであって、前記第1のプロンプト情報は、前記第1の撮影モードを前記ユーザに推奨するために使用され、前記第1の撮影モードは、プレビューインターフェースの前記n個のフレームのうちのプレビューインターフェースの最後のフレームに適合する撮影モードである、ステップ
を含む、請求項1に記載の方法。
【請求項４】
前記端末デバイスが、前記プレビューインターフェース内の前記撮影対象が安定して表示される前記予め設定された期間を決定し、
前記端末デバイスによって、前記予め設定された期間内にプレビューインターフェースの少なくとも2つのフレームを収集するステップ、
プレビューインターフェースの前記少なくとも2つのフレーム間の類似度が予め設定された類似度より高い場合に、前記プレビューインターフェース内の前記撮影対象は前記予め設定された期間にわたって安定して表示されたと判定するステップ、または
前記端末デバイスによってモーションセンサを使用して、前記端末デバイスが前記予め設定された期間内で静止状態にあったかどうかを検出するステップ、および
前記端末デバイスが前記予め設定された期間内で静止状態にあった場合に、前記プレビューインターフェース内の前記撮影対象は前記予め設定された期間にわたって安定して表示されたと判定するステップ
を含む、請求項1から3のいずれか一項に記載の方法。
【請求項５】
前記第1のプロンプト情報は、第1のアイコンを含み、前記第1のアイコンは、前記第1の撮影モードを識別するために使用され、前記端末デバイスによって第1のプロンプト情報を出力する前記ステップは、
前記端末デバイスによって、前記プレビューインターフェース内の第1の表示領域に前記第1のアイコンを表示するステップであって、前記端末デバイスは、前記第1のアイコンに対する第1の操作に応答して、撮影モードとパラメータセットとの間の第2のマッピング関係に基づいて、前記第1の撮影モードに対応する第1のパラメータセットを読み込む、ステップ
を含む、請求項1から4のいずれか一項に記載の方法。
【請求項６】
前記方法は、
前記端末デバイスによって、前記プレビューインターフェース内の第2の表示領域に前記第1のパラメータセットを表示するステップと、
前記端末デバイスによって、第2の操作に応答して、変更された第2のパラメータセットを表示するステップであって、前記第2のパラメータセットは、前記第1のパラメータセット内の第1のパラメータが変更された後に取得されるパラメータセットである、ステップと、
前記端末デバイスによって、前記第2のパラメータセットを読み込むステップと
をさらに含む、請求項5に記載の方法。
【請求項７】
前記方法は、
前記第1のパラメータが予め設定された回数を超えて変更された場合に、前記端末デバイスによって、前記第2のパラメータセットと前記第1の撮影モードとの間の第3のマッピング関係を確立するステップと、
前記端末デバイスによって、前記第3のマッピング関係を前記第2のマッピング関係に追加するステップと
をさらに含む、請求項6に記載の方法。
【請求項８】
前記方法は、
前記端末デバイスによって、前記第1のアイコンに対する前記第2の操作に応答して前記プレビューインターフェースに第1の情報を表示するステップであって、前記第1の情報は、前記第1の撮影モードを説明するテキスト情報である、ステップ
をさらに含む、請求項5から7のいずれか一項に記載の方法。
【請求項９】
前記方法は、
前記端末デバイスによって、前記プレビューインターフェースに第2のプロンプト情報を表示するステップであって、前記第2のプロンプト情報は、前記端末デバイスが前記第1の撮影モードに現在あることを前記ユーザに思い出させるために使用される、ステップ
をさらに含む、請求項5から8のいずれか一項に記載の方法。
【請求項１０】
前記ユーザが、前記第1のプロンプト情報を使用して推奨された前記第1の撮影モード以外の別の撮影モードを選択した場合に、前記方法は、
前記端末デバイスによって、前記ユーザが前記別の撮影モードを選択した回数が予め設定された回数を超えたかどうかを判定するステップ、および前記ユーザが前記別の撮影モードを選択した前記回数が前記予め設定された回数を超えたときに、
前記撮影対象の、1つのタイプのシーンの情報のみがある場合、前記端末デバイスによって、前記別の撮影モードと前記シーンの情報との間の第4のマッピング関係を使用して前記第1のマッピング関係を更新するステップ、または
前記撮影シーンの、少なくとも2つのタイプのシーンの情報がある場合、前記端末デバイスによって、前記別の撮影モードの第1の優先度を第2の優先度に設定し、前記第2の優先度は、前記第1の優先度より高く、前記端末デバイスによって、前記別の撮影モードの前記第2の優先度を使用して前記優先度ポリシーを更新するステップ
をさらに含む、請求項1から9のいずれか一項に記載の方法。
【請求項１１】
端末デバイスであって、前記端末デバイスは、プロセッサ、レンズ、表示画面、およびメモリを備え、前記プロセッサは、前記レンズを起動するように構成されており、
前記表示画面は、プレビューインターフェースを表示するように構成されており、
前記プロセッサは、請求項1から10のいずれか一項に記載の方法を実行するために、前記メモリ内の命令を呼び出す、
端末デバイス。
【請求項１２】
プロセッサおよびメモリを備える端末デバイスであって、
前記メモリは、1つ以上のコンピュータプログラムを記憶するように構成されており、
前記メモリに記憶された前記1つ以上のコンピュータプログラムが前記プロセッサによって実行されるとき、前記端末デバイスは、請求項1から10のいずれか一項に記載の方法を実施することが可能である、
端末デバイス。
【請求項１３】
コンピュータ記憶媒体であって、前記コンピュータ可読記憶媒体は、コンピュータプログラムを含み、前記コンピュータプログラムが端末デバイス上で実行されるとき、前記端末デバイスは、請求項1から10のいずれか一項に記載の方法を実行することが可能である、コンピュータ記憶媒体。
【発明の詳細な説明】
【技術分野】
【０００１】
本出願は、画像撮影技術の分野に関し、特に、インテリジェント支援制御方法および端末デバイスに関する。
【背景技術】
【０００２】
近年の携帯端末の撮影機能の絶え間ない改善に伴い、撮影技術の分野では、異なる撮影効果を提供するために様々な「撮影モード」が登場している。しかしながら、消費者による携帯端末のカメラの使用の現状は以下の通りであり、多数の多様化した「撮影モード」が存在するため、大部分の消費者は、カメラの撮影モードに関してほとんど知っておらず、より良い効果を有する画像を取得するために現在のシーンに対してどの撮影モードが選択されるべきかを判断し得ない。一般に、消費者は、複数の撮影モードを手動で選択する。いくつかの撮影モードを試した後、ユーザは、メモリから、複数の試された撮影モードの中から好ましい撮影モードを撮影のために選択する。しかしながら、この方法において、ユーザは、複数の撮影モードを手動で試す必要があり、操作が煩雑である。
【発明の概要】
【課題を解決するための手段】
【０００３】
本出願は、ユーザに撮影モードを推奨し、画像撮影効果を改善し、ユーザ操作を容易にし、ユーザエクスペリエンスを向上させるために、インテリジェント支援制御方法および端末デバイスを提供する。
【０００４】
第1の態様によれば、本出願の一実施形態は、インテリジェント支援制御方法を提供し、本方法は、端末デバイスを使用することによって実施され得る。本方法は、端末デバイスによってレンズを起動するステップと、端末デバイスによって、表示画面上にプレビューインターフェースを表示するステップであって、プレビューインターフェースは、撮影対象を含む、ステップと、プレビューインターフェースが予め設定された期間にわたって安定して表示されたと端末デバイスが判定した場合に、端末デバイスによって、撮影モードの第1のプロンプト情報をプレビューインターフェースに表示するステップであって、第1のプロンプト情報は、第1の撮影モードをユーザに推奨するために使用され、第1の撮影モードは、端末デバイスによって撮影対象のシーンの情報に基づいて判定される、ステップとを含む。
【０００５】
本出願の本実施形態では、端末デバイスは、プレビューインターフェースが安定して出力されたと判定した後にのみ、適切な撮影モードをユーザに推奨する。したがって、以下の状況、第1のプロンプト情報がプレビューインターフェースに常に表示され、プレビューインターフェースの一部を覆い隠し、ユーザが撮影角度をより良好に探すことを妨げる、が回避され得る。また、以下の現象、第1のプロンプト情報がプレビューインターフェースに常に表示され、第1のプロンプト情報がプレビューインターフェースでリアルタイムに切り替えられる状況がユーザに呈され、ユーザに不快感を催しやすい、が回避され得る。本出願の本実施形態で提供される技術的解決策によれば、プレビューインターフェースが安定して出力されたと判定した後、端末デバイスは、ユーザが撮影角度を決定したとみなし、次に、最適な撮影モードをユーザに推奨する。この方法において、インテリジェンスが改善され、ユーザエクスペリエンスが向上する。
【０００６】
可能な設計では、プレビューインターフェースが予め設定された期間にわたって安定して表示された後、端末デバイスは、撮影対象に含まれる少なくとも1つのタイプのシーンの情報を識別する。撮影対象が1つのタイプのシーンの情報を含む場合、端末デバイスは、シーンの情報、およびシーンの情報と撮影モードとの間の第1のマッピング関係に基づいて、シーンの情報に対応する第1の撮影モードを判定するか、または撮影対象が少なくとも2つのタイプのシーンの情報を含む場合、端末デバイスは、シーンの情報、およびシーンの情報と撮影モードとの間の第1のマッピング関係に基づいて、少なくとも2つの撮影モードを取得するために少なくとも2つのタイプのシーンの情報のそれぞれに対応する撮影モードを判定し、端末デバイスは、優先度ポリシーに従って少なくとも2つの撮影モードの中から第1の撮影モードを選択し、優先度ポリシーは、少なくとも2つの撮影モードの優先度を含む。
【０００７】
本出願の本実施形態では、プレビューインターフェースが安定して出力された後、端末デバイスは、撮影対象のシーンの情報を識別することによって撮影モードを判定し得る。また、1つ以上のタイプのシーンの情報が識別された場合、端末デバイスによって使用される処理方法は異なる。この方法において、撮影モードを推奨する精度が改善される。
【０００８】
可能な設計では、プレビューインターフェースが予め設定された期間にわたって安定して表示される前に、端末デバイスは、プレビューインターフェースのn個のフレームを収集し、nは、1以上の整数である。端末デバイスは、プレビューインターフェースのn個のフレームのそれぞれに含まれる撮影対象の、少なくとも1つのタイプのシーンの情報を識別する。端末デバイスは、少なくとも1つのタイプのシーンの情報に基づいて、プレビューインターフェースの各フレームに適合する撮影モードを判定する。プレビューインターフェースが予め設定された期間にわたって安定して表示された場合に端末デバイスによって第1のプロンプト情報を出力するステップは、プレビューインターフェースが予め設定された期間にわたって安定して表示された場合に、端末デバイスによって、プレビューインターフェースに第1のプロンプト情報を表示するステップであって、第1のプロンプト情報は、第1の撮影モードをユーザに推奨するために使用され、第1の撮影モードは、プレビューインターフェースのn個のフレームのうちのプレビューインターフェースの最後のフレームに適合する撮影モードである、ステップを含む。
【０００９】
本出願の本実施形態では、プレビューインターフェースが予め設定された期間にわたって安定して表示される前に、端末デバイスは、プレビューインターフェースの複数のフレームをリアルタイムで収集し、複数の撮影モードを取得するためにプレビューインターフェースの各フレームと適切な撮影モードとをマッチングし得る。プレビューインターフェースが予め設定された期間にわたって安定して表示された後、端末デバイスは、複数の撮影モードのうちの1つを表示する。本出願の本実施形態で提供される技術的解決策によれば、プレビューインターフェースが安定して出力されたと判定した後、端末デバイスは、ユーザが撮影角度を決定したとみなし、次に、最適な撮影モードをユーザに推奨する。この方法において、インテリジェンスが改善され、ユーザエクスペリエンスが向上する。
【００１０】
可能な設計では、端末デバイスによって、プレビューインターフェースが予め設定された期間にわたって安定して表示されたかどうかを判定するステップは、端末デバイスによって、予め設定された期間内にプレビューインターフェースの少なくとも2つのフレームを収集するステップ、およびプレビューインターフェースの少なくとも2つのフレーム間の類似度が予め設定された類似度より高い場合に、プレビューインターフェースは予め設定された期間にわたって安定して表示されたと判定するステップ、または端末デバイスによってモーションセンサを使用して、端末デバイスが予め設定された期間内で静止状態にあったかどうかを検出するステップおよび端末デバイスが予め設定された期間内で静止状態にあった場合に、プレビューインターフェースは予め設定された期間にわたって安定して表示されたと判定するステップを含む。
【００１１】
本出願の本実施形態では、端末デバイスは、少なくとも2つの方法で、プレビューインターフェースが安定して表示されたかどうかを判定する。方法1は、予め設定された期間内に収集されたプレビューインターフェースの少なくとも2つのフレーム間の類似度が予め設定された類似度より高いかどうかを判定することである。方法2は、端末デバイスが予め設定された期間内で静止状態にあったかどうかを判定することである。これら2つの方法において、プレビューインターフェースが安定して出力されたと判定した後、端末デバイスは、ユーザが撮影角度を決定したとみなし、次に、最適な撮影モードをユーザに推奨する。この方法において、インテリジェンスが改善され、ユーザエクスペリエンスが向上する。
【００１２】
可能な設計では、第1のプロンプト情報は、第1のアイコンを含み、第1のアイコンは、第1の撮影モードを識別するために使用され、端末デバイスによって第1のプロンプト情報を出力するステップは、端末デバイスによって、プレビューインターフェース内の第1の表示領域に第1のアイコンを表示するステップであって、端末デバイスは、第1のアイコンに対する第1の操作に応答して、第1の撮影モードに対応するパラメータを読み込む、ステップを含む。
【００１３】
本出願の本実施形態では、第1のプロンプト情報は、推奨撮影モードに対応するアイコンである。アイコン表示領域は通常、プレビューインターフェースを覆い隠すことを回避するために比較的小さく設定され得る。また、ユーザはアイコンに比較的敏感であり、アイコンを表示することは、ユーザエクスペリエンスを向上させるのを助ける。ユーザは、アイコンをトリガすることによって、例えば、アイコンをタップすることによって第1の撮影モードを開始し得、このため、ユーザ操作が容易になる。
【００１４】
可能な設計では、端末デバイスは、プレビューインターフェース内の第2の表示領域に第1のパラメータセットを表示する。端末デバイスは、第2の操作に応答して、変更された第2のパラメータセットを表示し、第2のパラメータセットは、第1のパラメータセット内の第1のパラメータが変更された後に取得されるパラメータセットである。端末デバイスは、第2のパラメータセットを読み込む。
【００１５】
本出願の本実施形態では、推奨撮影モードのパラメータを読み込んだ後、端末デバイスは、パラメータを表示し得、ユーザは、パラメータの値を変更し得、その結果、ユーザ操作が容易になり、ユーザエクスペリエンスが向上する。
【００１６】
可能な設計では、第1のパラメータが予め設定された回数を超えて変更された場合、端末デバイスは、第2のパラメータセットと第1の撮影モードとの間の第3のマッピング関係を確立し、端末デバイスは、第3のマッピング関係を第2のマッピング関係に追加する。
【００１７】
本出願の本実施形態では、端末デバイスは、ユーザが第1のパラメータセット内の第1のパラメータを変更した回数を記録し得る。変更回数が予め設定された回数より多い場合、端末デバイスは、第2のパラメータセットと第1の撮影モードとの間の第3のマッピング関係を確立する。次に第1の撮影モードがユーザに推奨された場合、第2のパラメータセットが使用される。この方法において、端末デバイスは、ユーザの使用習慣に基づいて最適な撮影モードをユーザに推奨し得、これにより、ユーザの要求に比較的合った画像が撮影され得、その結果、ユーザエクスペリエンスが向上する。
【００１８】
可能な設計では、端末デバイスは、第1のアイコンに対する第2の操作に応答してプレビューインターフェースに第1の情報を表示し、第1の情報は、第1の撮影モードを説明するテキスト情報である。
【００１９】
本出願の本実施形態では、ユーザが推奨撮影モードの詳細な内容を知りたい場合、ユーザは、プレビューインターフェースに表示される撮影モードのアイコンをトリガ、例えばダブルタップし得、端末デバイスは、ユーザが推奨撮影モードを知るのを助け、ユーザエクスペリエンスを向上させるために推奨撮影モードの詳細な説明を表示し得る。
【００２０】
可能な設計では、端末デバイスが第1の撮影モードに入った後、端末デバイスは、プレビューインターフェースに第2のプロンプト情報を表示し、第2のプロンプト情報は、端末デバイスが第1の撮影モードに現在あることをユーザに思い出させるために使用される。
【００２１】
本出願の本実施形態では、推奨撮影モードに入った後、端末デバイスは、端末デバイスが撮影モードに入ったことをユーザに思い出させるために、第2のプロンプト情報を表示し得る。この方法は、推奨撮影モードが正常に有効にされたかどうかをユーザが判断するのを助け、その結果、ユーザエクスペリエンスを向上させ得る。
【００２２】
可能な設計では、第1のプロンプト情報を使用して推奨された第1の撮影モード以外の別の撮影モードをユーザが選択した場合、端末デバイスは、ユーザが別の撮影モードを選択した回数が予め設定された回数を超えたかどうかを判定する。ユーザが別の撮影モードを選択した回数が予め設定された回数を超えたときに、撮影シーンの、1つのタイプのシーンの情報のみがある場合、端末デバイスは、別の撮影モードとシーンの情報との間の第2のマッピング関係を使用して第1のマッピング関係を更新するか、または撮影対象の、少なくとも2つのタイプのシーンの情報がある場合、端末デバイスは、別の撮影モードの第1の優先度を第2の優先度に設定し、第2の優先度は、第1の優先度より高く、端末デバイスは、別の撮影モードの第2の優先度を使用して優先度ポリシーを更新する。
【００２３】
本出願の本実施形態では、ユーザは、端末デバイスによって推奨された撮影モードを選択し得るし、または別の撮影モードを選択し得る。ユーザが別の撮影モードを選択した場合、端末デバイスは、ユーザがこの別の撮影モードを選択した回数を記録し得る。回数が予め設定された回数に達した後、端末デバイスは、撮影モードとシーンの情報との間のマッピング関係を更新するか、または優先度ポリシーを更新する。言い換えれば、端末デバイスは、ユーザの使用習慣を記録し、ユーザの使用習慣に基づいて推奨ポリシーを調整し得、その結果、ユーザエクスペリエンスが向上する。
【００２４】
第2の態様によれば、本出願の一実施形態は、プロセッサおよびメモリを含む端末デバイスを提供する。メモリは、1つ以上のコンピュータプログラムを記憶するように構成される。メモリに記憶された1つ以上のコンピュータプログラムがプロセッサによって実行されるとき、端末デバイスは、第1の態様および第1の態様の可能な設計のいずれか1つによる方法を実施し得る。
【００２５】
第3の態様によれば、本出願の一実施形態は、端末デバイスをさらに提供し、端末デバイスは、第1の態様および第1の態様の可能な設計のいずれか1つによる方法を実行するためのモジュール／ユニットを含む。
【００２６】
第4の態様によれば、本出願の一実施形態は、コンピュータ可読記憶媒体をさらに提供し、コンピュータ可読記憶媒体は、コンピュータプログラムを含み、コンピュータプログラムが端末デバイス上で実行されるとき、端末デバイスは、第1の態様および第1の態様の可能な設計のいずれか1つによる方法を実行することが可能である。
【００２７】
第5の態様によれば、本出願の一実施形態は、コンピュータプログラム製品をさらに提供する。コンピュータプログラム製品が端末デバイス上で実行されるとき、端末デバイスは、第1の態様および第1の態様の可能な設計のいずれか1つによる方法を実行することが可能である。
【図面の簡単な説明】
【００２８】
【図１】本発明の一実施形態による端末デバイスの概略構造図である。
【図２】本発明の一実施形態によるインテリジェント支援制御方法のフローチャートである。
【図３】本発明の一実施形態による、端末デバイスによるプレビューインターフェースの定期的な収集の概略図である。
【図４Ａ】本発明の一実施形態による、端末デバイスによって撮影モードを推奨する時間ノードの概略図である。
【図４Ｂ】本発明の一実施形態による、端末デバイスによって撮影モードを推奨する時間ノードの概略図である。
【図５】本発明の一実施形態による別のインテリジェント支援制御方法のフローチャートである。
【図６】本発明の一実施形態による、端末デバイスによるプレビューインターフェースの定期的な収集の概略図である。
【図７Ａ】本発明の一実施形態による、端末デバイスが画像を撮影するときの表示画面の表示ステータスの概略図である。
【図７Ｂ】本発明の一実施形態による、端末デバイスが画像を撮影するときの表示画面の表示ステータスの概略図である。
【図７Ｃ】本発明の一実施形態による、端末デバイスが画像を撮影するときの表示画面の表示ステータスの概略図である。
【図７Ｄ】本発明の一実施形態による、端末デバイスが画像を撮影するときの表示画面の表示ステータスの概略図である。
【図７Ｅ】本発明の一実施形態による、端末デバイスが画像を撮影するときの表示画面の表示ステータスの概略図である。
【図７Ｆ】本発明の一実施形態による、端末デバイスが画像を撮影するときの表示画面の表示ステータスの概略図である。
【図８】本発明の一実施形態による端末デバイスの概略構造図である。
【図９】本発明の一実施形態による端末デバイスの概略構造図である。
【発明を実施するための形態】
【００２９】
以下では、本出願に関連する背景を説明する。
【００３０】
近年の携帯端末の撮影機能の絶え間ない改善に伴い、撮影技術の分野では、異なる撮影効果を提供するために様々な「撮影モード」が登場している。しかしながら、消費者による携帯端末のカメラの使用の現状は以下の通りであり、多数の多様化した「撮影モード」が存在するため、大部分の消費者は、カメラの撮影モードに関してほとんど知っておらず、より良い効果を有する画像を取得するために現在のシーンに対してどの撮影モードが選択されるべきかを判断し得ない。一般に、消費者は、複数の撮影モードを手動で選択する。いくつかの撮影モードを試した後、ユーザは、メモリから、複数の試された撮影モードの中から好ましい撮影モードを撮影のために選択する。しかしながら、この方法において、ユーザは、複数の撮影モードを手動で試す必要があり、操作が煩雑である。
【００３１】
この技術的問題を解決するために、本出願の実施形態は、インテリジェント支援制御方法および装置を提供する。この方法では、端末デバイスは、撮影対象のシーンを識別し、識別されたシーンの情報に基づいて適切な撮影モードを判定し、判定された撮影モードをユーザに推奨する。ユーザは、多数の撮影モードから手動で選択を行う必要がなく、このため、操作が容易になり、ユーザエクスペリエンスが向上する。本出願の実施形態で提供されるインテリジェント支援制御方法は、図1に示されている端末デバイス100に適用可能である。したがって、以下の説明では、端末デバイス100が説明のための例として使用される。詳細については、図2を参照されたい。図2は、本出願の一実施形態によるインテリジェント支援制御方法のフローチャートである。図2に示されているように、本方法は、以下のステップを含む。
【００３２】
S201．端末デバイス100は、レンズ170を起動し、プレビューインターフェースを表示ユニット160に表示する。プレビューインターフェースは、撮影対象を含む。
【００３３】
本出願の本実施形態では、撮影装置は、端末デバイス100の、画像撮影機能を有するアプリケーション（APP）、例えば、端末デバイス100に含まれるカメラであり得る。あるいは、撮影装置は、端末デバイス100にインストールされたサードパーティのアプリケーション、例えば、Sweet Camera、Editor＆Filters、Beauty Camera、WeChat、Alipay、Tencentのチャットソフトウェア（QQ）、DingTalk、写真共有（instagram）、Kakao Talk、またはライン（Line）などの画像撮影機能を有するアプリケーションであってもよい。
【００３４】
例として、端末デバイス100に含まれるカメラが使用される。ユーザが写真を撮る必要があるとき、カメラを起動するために、端末デバイス100に表示されているカメラのアイコンがトリガされ得る。端末デバイス100のプロセッサ130は、カメラを動作させ、レンズ170を起動し、表示ユニット160の表示パネル161にプレビューインターフェースを表示する。ユーザがレンズ170を撮影対象に合わせると、撮影対象がプレビューインターフェースに表示される。
【００３５】
S202．端末デバイス100は、撮影対象のシーンを識別し、識別されたシーンの情報に基づいて適切な撮影モードを判定する。シーンの情報は、人物画像シーン、風景シーン、夜景シーン、緑色植物シーン、および雪景色シーンなどを含むが、これらに限定されない。
【００３６】
本出願の本実施形態では、撮影対象のシーンを識別するとき、端末デバイス100は、撮影対象を識別し得、さらに、撮影対象が位置するシーンを識別し得る。例えば、端末デバイス100によって識別される撮影対象は、食べ物、花、ペット、および運搬具を含む。端末デバイスによって識別される、撮影対象が位置するシーンは、山または湖または一般的な都市施設：映画館、図書館、病院、スタジアム、もしくは駅など、を含む。
【００３７】
可能な実施態様では、端末デバイス100は、プレビューインターフェースを収集することによって撮影対象のシーンを識別し得る。
【００３８】
例えば、プレビューインターフェースを収集した後、端末デバイス100は、収集されたプレビューインターフェース内の特徴情報を識別することによって撮影対象のシーンの情報を識別し得る。特徴情報は、プレビューインターフェースに含まれる撮影対象、すなわち、人物、動物、または植物であり得るし、または特徴情報は、撮影対象が位置するシーン、例えば、建物または自然の景色であり得る。例えば、プレビューインターフェースが人物を含む場合、端末デバイス100は、撮影対象のシーンの情報は人物画像シーンを含むと判定する。例えば、プレビューインターフェースが植物、建物、または自然の景色を含む場合、端末デバイス100は、撮影対象のシーンの情報は風景シーンを含むと判定する。
【００３９】
さらに、シーン識別の精度を改善するために、端末デバイス100は、さまざまなシーンを精密化し得る。例えば、人物画像シーンは、一般的な人物画像シーンとグループ画像シーンに分類され得る。風景シーンは、植物シーン、自然の景色シーン、および日の出／日の入りシーンなどに分類され得る。精密化された各シーンは、対応する判定条件を有する。したがって、プレビューインターフェース内の特徴情報を識別した後、端末デバイス100は、特徴情報が予め設定された判定条件を満たすかどうかをさらに判定し得る。特徴情報が予め設定された判定条件を満たす場合、端末デバイス100は、判定条件に対応するシーンを判定する。
【００４０】
例えば、プレビューインターフェース内の特徴情報は、人物を含む。端末デバイス100は、プレビューインターフェースに含まれる人物の数が予め設定された数より少ないかどうか、またはプレビューインターフェースの総面積に対する、プレビューインターフェース内の人物によって占められる面積の割合が予め設定された割合より大きいかどうかをさらに判定し得る。端末デバイス100が、人物の数が2などの予め設定された数以下であると、またプレビューインターフェースの総面積に対する、プレビューインターフェース内の人物によって占められる面積の割合が10％などの予め設定された割合より小さいと判定した場合、端末デバイス100は、撮影対象のシーンの情報は一般的な人物画像シーンを含むと判定する。端末デバイス100が、プレビューインターフェース内の人物の数が2より多いと判定した場合、端末デバイス100は、撮影対象のシーンの情報はグループ画像シーンを含むと判定する。
【００４１】
例えば、プレビューインターフェース内の特徴情報は、花または緑色植物を含む。端末デバイス100は、プレビューインターフェース内の花または緑色植物の彩度値をさらに判定し得る。彩度値が予め設定された値より大きい場合、端末デバイス100は、撮影対象のシーンの情報は高彩度植物シーンであると判定する。
【００４２】
別の可能な実施態様では、端末デバイス100は、撮影対象と端末デバイス100との間の距離を測定することによって撮影対象のシーンの情報をさらに識別し得る。撮影対象と端末デバイス100との間の距離が予め設定された距離以下である場合、端末デバイス100は、プレビューインターフェースのシーンの情報は接写シーンであると判定する。
【００４３】
実際の用途では、端末デバイス100は、別の方法で撮影対象のシーンの情報を識別してもよい。例えば、前述の2つの方法が組み合わされる。
【００４４】
撮影対象のシーンの情報を識別した後、端末デバイス100は、シーンの情報と撮影モードとの間のマッピング関係に基づいて、識別されたシーンの情報に適合する撮影モードを取得し得る。例として、表1は、シーンの情報と撮影モードとの間の可能なマッピング関係を列挙している。
【００４５】
【表１】
2021517413.tif 000003
【００４６】
表1に示されているように、撮影対象のシーンの情報を識別した後、端末デバイス100は、表1に従って、識別されたシーンの情報に対応する撮影モードを判定し得る。
【００４７】
端末デバイス100が撮影対象の、1つのタイプのシーンの情報のみを識別した場合、端末デバイス100は、表1に従って、シーンの情報に対応する撮影モードを判定する。
【００４８】
端末デバイス100が撮影対象の複数のタイプのシーンの情報を識別した場合、端末デバイス100は、表1に従って複数の撮影モードを判定する。端末デバイス100は、予め設定された優先度ポリシーに基づいて複数の撮影モードの中からより良い撮影モードを選択し得る。端末デバイス100は、ユーザによる様々な撮影モードの使用の回数または頻度をカウントし、ユーザによって頻繁に使用される撮影モードを比較的高く設定し、ユーザによってあまり頻繁に使用されない撮影モードを比較的低く設定し得る。例えば、予め設定された優先度ポリシーは、3つの優先度ポリシーを含み、これら3つの優先度ポリシーと識別されたシーンのタイプとの間には1対1の対応がある。詳細については、表2を参照されたい。
【００４９】
【表２】
2021517413.tif 000004
【００５０】
異なるタイプのシーンにも優先度ポリシーがあり、例えば、接写タイプ＞対象タイプ＞シーンタイプである。
【００５１】
同じタイプのシーンにおいて、異なる環境条件に異なる撮影モードが適用可能である。例えば、接写タイプの場合、ビビッドモードは、比較的強い光の環境に比較的適しており、マクロモードは、比較的弱い光の環境に比較的適している。したがって、端末デバイス100は、異なる環境条件に基づいて適切な撮影モードを判定し得る。例えば、環境の光強度が予め設定された強度より高い場合は、ビビッドモードが選択され、または光強度が予め設定された強度より低い場合は、マクロモードが選択される。
【００５２】
撮影対象が複数のシーンを有することを識別した後、端末デバイス100は、各シーンのタイプを判定し得る。具体的には、端末デバイス100は、プレビューインターフェース内の特徴情報のタイプに基づいてシーンのタイプを判定し得るし、または端末デバイス100と撮影対象との間の距離に基づいてシーンのタイプを判定し得る。
【００５３】
例えば、端末デバイス100は、プレビューインターフェースは3つのタイプの特徴情報、すなわち、人物、犬、および雪景色を含むと判定する。端末デバイス100は、表1に従って3つの撮影モード、すなわち、人物画像モード、動物モード、および風景モードを判定する。端末デバイス100は、各タイプの特徴情報のタイプを判定する。具体的には、人物および犬は対象タイプに属し、雪景色はシーンタイプに属する。端末デバイス100は、対象タイプの優先度はシーンタイプの優先度より高いと判定し、表2に従って、対象タイプにおいて人物の優先度は動物の優先度より高いと判定する。したがって、端末デバイス100は、3つの撮影モードの中でより良い撮影モードは人物画像モードであると判定し得る。
【００５４】
本出願の本実施形態では、撮影モードは、端末デバイス100が撮影対象を撮影するときに設定されるパラメータのセットとして理解され得る。このセットは、絞り、シャッタ、ISO、およびホワイトバランスなどを含み得る。1つの撮影モードでは、パラメータセット内の各パラメータに適切な値が設定される。場合によっては、端末デバイス100の製造業者は、夜景、人物画像、雪景色、およびビーチなどのいくつかの代表的なシーンに基づいて、予め設定されたパラメータのセットおよび各パラメータの値を端末デバイス100に記憶する。例えば、製造業者は、実験を通じて、予め設定されたパラメータのセットおよび各パラメータの値を取得してもよいし、または別の方法で、予め設定されたパラメータのセットおよび各パラメータの値を取得してもよい。また、ユーザは、撮影モードのパラメータの値を手動で調整し得る。例えば、人物画像モードにおいて、絞りのデフォルト値は第1の値である。ユーザはまた、絞りを調整し得、調整された絞りの値は第2の値である。端末デバイス100において、人物画像モードの絞りの値は第2の値に設定され得る。
【００５５】
S203．端末デバイス100は、撮影対象が予め設定された期間にわたって継続的かつ安定的にプレビューインターフェースに表示されたかどうかを判定する。はいの場合は、S204が実行され、またはいいえの場合は、S202が実行される。
【００５６】
一般に、プレビューインターフェース内の撮影対象は動的に変化する。例えば、端末デバイス100の撮影装置を起動した後、ユーザは、通常、最適な撮影角度および撮影範囲などを探す。探すプロセスにおいて、プレビューインターフェース内の撮影対象はリアルタイムに変化する。プレビューインターフェース内の撮影対象が不安定に表示されたと判定した場合、端末デバイス100は、ユーザが現在、撮影角度を探しているとみなし、端末デバイス100は、S202を実行し得る。端末デバイス100は、撮影対象のシーンをリアルタイムで識別し、識別されたシーンの情報に基づいて適切な撮影モードを判定し得る。具体的には、端末デバイス100は、プレビューインターフェースをリアルタイムで収集し、次に、収集されたプレビューインターフェース内の特徴情報を識別することによって撮影対象のシーンの情報を識別し得る（S202の説明を参照されたい）。
【００５７】
当業者による理解を容易にするために、図3を参照する。図3は、端末デバイスによるプレビューインターフェースの定期的な収集の概略図である。
【００５８】
図3において、端末デバイス100によってプレビューインターフェースを収集する周期はTである。端末デバイス100は、時点t1でプレビューインターフェースのn番目のフレームを収集し、次に、プレビューインターフェースのn番目のフレーム内の特徴情報を識別することによって撮影対象のシーンの情報を識別し、識別されたシーンの情報に対応する撮影モードは第1の撮影モードであると判定する。端末デバイス100は、時点t1＋Tでプレビューインターフェースの（n＋m）番目のフレームを収集し、次に、プレビューインターフェースの（n＋m）番目のフレーム内の特徴情報を識別することによって撮影対象のシーンの情報を識別し、識別されたシーンの情報に対応する撮影モードは第2の撮影モードであると判定する。端末デバイス100は、時点t1＋2Tでプレビューインターフェースの（n＋2m）番目のフレームを収集し、次に、プレビューインターフェースの（n＋2m）番目のフレーム内の特徴情報を識別することによって撮影対象のシーンの情報を識別し、識別されたシーンの情報に対応する撮影モードは第3の撮影モードであると判定する。
【００５９】
図3では、予め設定された期間はTより長い。可能な実施態様では、端末デバイス100は、比較を通じてプレビューインターフェースのn番目のフレームと、プレビューインターフェースの（n＋1）番目のフレームと、プレビューインターフェースの（n＋2）番目のフレームとの間の類似度を判定する。類似度が予め設定された類似度より高い場合、現在のプレビューインターフェースは安定して表示されたとみなされる。この場合、端末デバイス100は、第1のプロンプト情報を出力する。プレビューインターフェースが予め設定された期間にわたって安定して表示されたため、第1の撮影モードと第2の撮影モードと第3の撮影モードが同じである比較的高い可能性がある。したがって、端末デバイス100によって出力される第1のプロンプト情報は、3つの撮影モードのいずれか1つを推奨するために使用され得る。もちろん、好ましくは、端末デバイス100は、最後に判定された撮影モード、すなわち第3の撮影モードを推奨してもよい。図3では、読者による理解を容易にするためだけに、予め設定された期間は、プレビューインターフェースを収集する周期より長くなっている。実際の用途では、当業者は、実際の要求に基づいて、予め設定された期間とプレビューインターフェースを収集する周期との関係を設定し得る。
【００６０】
別の可能な実施態様では、端末デバイス100は、端末デバイス100のモーションセンサを使用して、端末デバイス100が予め設定された期間内で静止状態にあったことを検出する。この場合、端末デバイス100は、プレビューインターフェースが安定して表示されたと判定する。端末デバイス100は、第1のプロンプト情報を出力し得る。同様に、プレビューインターフェースが予め設定された期間にわたって安定して表示されたため、第1の撮影モードと第2の撮影モードと第3の撮影モードが同じである比較的高い可能性がある。したがって、端末デバイス100によって出力される第1のプロンプト情報は、3つの撮影モードのいずれか1つを推奨するために使用され得る。もちろん、好ましくは、端末デバイス100は、最後に判定された撮影モード、すなわち第3の撮影モードを推奨してもよい。
【００６１】
本出願の本実施形態では、端末デバイス100のモーションセンサは、速度センサ、加速度センサ、角速度センサ、またはジャイロスコープなどであり得る。
【００６２】
プレビューインターフェースが予め設定された期間にわたって安定して表示されたと判定した後、端末デバイス100は、ユーザが撮影角度を探すプロセスを完了したと、言い換えれば、現在のプレビューインターフェースに表示されている撮影対象がユーザが撮影するつもりのシーンであるとみなす。端末デバイス100は、第1のプロンプト情報を出力し得る。第1のプロンプト情報は、ユーザに合わせて端末デバイス100によって取得されるより良い撮影モードを推奨するために使用される。
【００６３】
実際の用途では、端末デバイス100がプレビューインターフェースを継続的かつ安定的に表示した後、例えば、端末デバイス100が予め設定された期間にわたって静止した後、新たな対象が撮影範囲に入り得る。具体的には、新たな対象がプレビューインターフェース内に現れ得る（新たな対象が撮影範囲に入る）、言い換えれば、プレビューインターフェース内の撮影対象は変化する。したがって、プレビューインターフェースを継続的かつ安定的に表示した後、端末デバイス100はまた、撮影対象のシーンの情報をリアルタイムで識別し、適切な撮影モードをユーザに推奨し得る。
【００６４】
例えば、図4Aおよび図4Bは、端末デバイスのプレビューインターフェースが安定して出力された後に新たな対象が撮影範囲に入る概略図である。
【００６５】
図4Aにおいて、端末デバイス100が、時点t2で、プレビューインターフェースが予め設定された期間にわたって安定して表示されたと判定した場合、端末デバイス100は、時点t2で、端末デバイス100がユーザに第1の撮影モードを推奨することを検出する。新たな対象が時点t2（または別の時点、図4Aでは、t2とt3との間の時点が例として使用される）で撮影範囲に入った場合、言い換えれば、プレビューインターフェース内の撮影対象が変化した場合、端末デバイス100は、新たな撮影対象に対してシーン識別を実行し得る。新たな対象に対応する第2の撮影モードの優先度が第1の撮影モードの優先度より低い場合、端末デバイス100は、例えば図4Aの時点t3で、引き続き第1の撮影モードをユーザに推奨する。
【００６６】
例えば、時点t2で、端末デバイス100に表示されているプレビューインターフェースは、人物および雪景色を含み、このプレビューインターフェースは予め設定された期間にわたって安定して表示されている。この場合、端末デバイス100は、優先度ポリシーに従って人物画像モードをユーザに推奨する。ユーザが撮影コントロールをトリガしておらず、犬が撮影範囲に入った場合、言い換えれば、ユーザの友人、犬、および雪景色がプレビューインターフェースに表示された場合に、撮影対象が変化したことを検出したとき、端末デバイス100は、引き続き撮影対象のシーンを識別し得る。識別後、新たなシーンの情報は、人物画像シーン、動物シーン、および雪景色シーンを含む。端末デバイス100は、優先度ポリシーに従って、人物画像モードの優先度が動物モードおよび雪景色モードの優先度より高いと判定する。したがって、時点t3で、端末デバイス100は、引き続き人物画像モードをユーザに推奨する。この方法において、端末デバイス100が、動物モードの優先度が人物画像モードの優先度より低いと判定しているため、端末デバイス100は、犬が予め設定された期間にわたってプレビューインターフェースに安定して表示されたかどうかを検出する必要がなく、このため、計算リソースが削減される。
【００６７】
図4Aをさらに参照すると、新たな対象が撮影範囲に入った後に、元のシーンが撮影範囲を出た場合、例えば図4Aのt3とt4との間の時点で、元のシーンが撮影範囲を出た場合、端末デバイス100は、新たな対象が予め設定された期間にわたってプレビューインターフェースに安定して表示されたかどうかを判定する。はいの場合、端末デバイス100は、例えば図4Aの時点t4で、新たな対象に対応する第2の撮影モードをユーザに推奨する。
【００６８】
ユーザが端末デバイス100を使用して友人を撮影する前述の例が、依然として説明のために使用される。ユーザの友人が撮影範囲から歩いて出た場合、言い換えれば、犬および雪景色のみが撮影範囲内にある場合、端末デバイス100は、シーンの情報が動物シーンおよび雪景色シーンを含むことを識別する。優先度ポリシーから、動物モードの優先度が雪景色モードの優先度より高いことが知られ得る。したがって、犬および雪景色を含むプレビューインターフェースが予め設定された期間にわたって安定して表示された場合、端末デバイス100は、動物モードをユーザに推奨する。
【００６９】
図4Bにおいて、端末デバイス100が、時点t2で、プレビューインターフェースが予め設定された期間にわたって安定して表示されたと判定した場合、端末デバイス100は、第1の撮影モードをユーザに推奨する。新たな対象が時点t2（または別の時点、図4Aでは、t2とt3との間の時点が例として使用される）で撮影範囲に入った場合、言い換えれば、プレビューインターフェース内の撮影対象が変化した場合、端末デバイス100は、新たな撮影対象に対してシーン識別を実行し得る。新たな対象に対応する第2の撮影モードの優先度が第1の撮影モードの優先度より高いものの、新たな対象が比較的短い時間にわたってプレビューインターフェース内にある場合、言い換えれば、新たな対象が予め設定された期間にわたってプレビューインターフェースに安定して表示されていない場合、端末デバイス100は、例えば図4Bの時点t3で、依然として第1の撮影モードをユーザに推奨する。新たな対象に対応する第2の撮影モードの優先度が第1の撮影モードの優先度より高く、新たな対象が予め設定された期間にわたってプレビューインターフェースに安定して表示された場合、端末デバイス100は、時点t4、例えば図4Bの時点t4で、第2の撮影モードをユーザに推奨する。
【００７０】
例えば、時点t2で、端末デバイス100によって表示されているプレビューインターフェースが犬および雪景色を含み、プレビューインターフェースが予め設定された期間にわたって安定して表示された場合、端末デバイス100は、優先度ポリシーに従って第1の撮影モード、すなわち動物モードをユーザに推奨する。t2とt3の間の時点で、人物が撮影範囲に入った場合、言い換えれば、人物がプレビューインターフェース内に現れた場合、撮影対象が変化するため、端末デバイス100は、引き続き新たな撮影対象を識別する。識別後、端末デバイス100は、新たな撮影対象が人物画像シーン、動物シーン、および雪景色シーンを含むと判定する。端末デバイス100は、優先度ポリシーに従って、人物画像モードが最も高い優先度を有し、動物シーンが2番目に高い優先度を有すると判定する。したがって、予め設定された期間より短い比較的短い時間にわたって人物がプレビューインターフェース内にいる場合、端末デバイス100は、引き続き動物モードをユーザに推奨する。人物が予め設定された期間にわたってプレビューインターフェースに安定して表示された場合、端末デバイス100は、人物画像モードをユーザに推奨する。その後、人物が撮影範囲を出た場合、言い換えれば、犬および雪景色のみがプレビューインターフェース内に残された場合、端末デバイス100は、犬および雪景色が予め設定された期間にわたってプレビューインターフェースに安定して表示されたかどうかを判定する。はいの場合、端末デバイス100は、優先度ポリシーに従って、引き続き動物モードをユーザに推奨する。
【００７１】
したがって、本出願の本実施形態では、端末デバイスは、プレビューインターフェースが予め設定された期間にわたって安定して表示されたと判定した後、適切な撮影モードをユーザに推奨する。しかしながら、プレビューインターフェース内の撮影対象は変化し得るため、端末デバイスはさらに、新たな撮影対象に対するシーン認識をリアルタイムで実行し得る。新たな撮影対象が複数のシーンを含む場合、端末デバイスは、優先度ポリシーに従って、最適な撮影モードを再判定し得る。新たな撮影対象が予め設定された期間にわたってプレビューインターフェースに安定して表示された場合、端末デバイスは、判定された撮影モードをユーザに推奨する。
【００７２】
一般に、ユーザが携帯電話を使用してシーンを撮影するとき、ユーザが撮影角度を探すプロセスでプレビューインターフェースはリアルタイムに変化する。プレビューインターフェースが変化するプロセスでは、第1のプロンプト情報がプレビューインターフェースに常に表示され、第1のプロンプト情報は、通常、プレビューインターフェースの一部を覆い隠す。したがって、ユーザが撮影角度をより良好に探すことが妨げられ、ユーザエクスペリエンスが低下する。また、前述の内容から、プレビューインターフェースが異なるとき、判定される撮影モードが異なり得る、言い換えれば、第1のプロンプト情報が異なり得ることが知られ得る。第1のプロンプト情報がプレビューインターフェースに常に表示される場合、第1のプロンプト情報がプレビューインターフェースでリアルタイムに切り替えられる状況がユーザに呈され、ユーザに不快感を催しやすい。本出願の本実施形態で提供される技術的解決策によれば、端末デバイス100は、プレビューインターフェースが予め設定された期間にわたって安定して表示されたと判定した後にのみ、第1のプロンプト情報を表示する。言い換えれば、ユーザが撮影角度を決定したとみなした後で、端末デバイス100は、最適な撮影モードをユーザに推奨し、このため、プロンプト情報は頻繁に現れず、ユーザの通常の撮影行為を阻害せず、また、モードに適合したプロンプト情報が適時に提供され得る。この方法において、ユーザは、より良い撮影結果を得るためにプロンプト情報に基づいて最適な撮影を行い得る。したがって、この解決策において、ヒューマンマシンインタラクションのインテリジェンスが改善され得、出力画像の品質が改善され得る。
【００７３】
S204．端末デバイス100は、第1のプロンプト情報を出力し、第1のプロンプト情報は、適合した撮影モードをユーザに通知するために使用される。
【００７４】
本出願の本実施形態では、最適な撮影モードを判定した後、端末デバイス100は、第1のプロンプト情報を出力する。第1のプロンプト情報は、適合した撮影モードをユーザに推奨するために使用される。
【００７５】
例えば、端末デバイス100は、プレビューインターフェースに第1のプロンプト情報を表示し得る。第1のプロンプト情報は、テキスト形式、画像形式、またはアイコン形式などであり得る。もちろん、第1のプロンプト情報は音声情報であってもよい。
【００７６】
S205．端末デバイス100は、ユーザが推奨撮影モードを選択したかどうかを判定する。いいえの場合は、S206が実行され、またははいの場合は、撮影モードの現在の推奨プロセスは完了する。
【００７７】
端末デバイス100が第1のプロンプト情報を出力した後、ユーザは、第1のプロンプト情報を使用して推奨された撮影モードを選択し得るし、または別の撮影モードを選択し得る。
【００７８】
S206．端末デバイス100は、ユーザによって選択された別の撮影モードを記録し、ユーザがこの別の撮影モードを選択した回数が予め設定された回数を超えた場合、この別の撮影モードと識別されたシーンの情報との間のマッピング関係を確立する。
【００７９】
前述の内容から、端末デバイス100が撮影対象のシーンの情報の1つ以上のタイプを識別し得ることが知られ得る。1つのタイプのシーンの情報のみがある場合、端末デバイス100は、表1に従って、シーンの情報に対応する撮影モードを判定し、次に、判定された撮影モードをユーザに推奨する。ユーザが推奨撮影モードを使用せず、別の撮影モードを選択した場合、このシーンにおいて、ユーザがこの別の撮影モードを選択した回数が予め設定された回数を超えたとき、端末デバイス100は、シーンの情報とこの別の撮影モードとの間のマッピング関係を確立し、このマッピング関係に基づいて表1を更新する。撮影対象がこのシーンを含むことが次に識別されたとき、端末デバイス100は、この別の撮影モードをユーザに推奨する。
【００８０】
複数のタイプのシーンの情報がある場合、端末デバイスは、優先度ポリシーに従って複数の撮影モードの中からより良い撮影モードを選択し、選択された撮影モードをユーザに推奨する。ユーザが推奨撮影モードを使用せず、別の撮影モードを選択した場合、端末デバイス100は、記録を保持し得る。例えば、端末デバイス100は、ユーザが別の撮影モードを選択した回数をカウントしてもよい。カウントされた回数が予め設定された回数を超えた後、端末デバイス100は、ユーザがこのシーンではこの別の撮影モードを好むとみなす。この場合、端末デバイス100は、別の撮影モードの優先度を上げ、表2を更新する。
【００８１】
撮影対象が人物、犬、および雪景色を含む例が依然として使用される。端末デバイス100は、優先度ポリシーに従って人物画像モードをユーザに推奨する。ユーザが雪景色モードを選択した場合、端末デバイス100は、撮影対象が雪景色を含むときにユーザが雪景色モードを1回選択したことを記録し得る。ユーザが雪景色モードを選択した回数がより多いことは、雪景色モードがより高い優先度を有することを示す。端末デバイス100は、表2を更新し得る、具体的には、雪景色モードの優先度を上げ得る。例えば、雪景色モードの優先度は青空モードの優先度より高く、シーンタイプの優先度も動物モードの優先度より高い。撮影対象が人物、犬、および雪景色を含むことが次に識別されたとき、端末デバイス100は、新たな優先度ポリシーに従って雪景色モードをユーザに推奨する。
【００８２】
本出願の本実施形態では、端末デバイス100は、ユーザの使用習慣を記録し、ユーザの使用習慣に合った撮影モードをユーザに推奨し得、これにより、ユーザエクスペリエンスが向上する。
【００８３】
図2に示されている実施形態では、端末デバイス100は、撮影対象のシーンの情報をリアルタイムで識別し、識別されたシーンの情報に適合する撮影モードを判定する。プレビューインターフェースが予め設定された期間にわたって安定して表示されたことを検出した後、端末デバイス100は、適合した撮影モードをユーザに推奨する。図2に示されている前述の実施形態に基づいて、本出願の実施形態の別の可能な実施態様では、端末デバイス100は、プレビューインターフェースが予め設定された期間にわたって安定して表示されたと判定した後にのみ、撮影対象のシーンの情報を識別し、識別されたシーンの情報に適合する撮影モードを判定し得る。次に、端末デバイス100は、判定された撮影モードをユーザに推奨する。詳細については、図5を参照されたい。図5は、本出願の一実施形態による別のインテリジェント支援制御方法のフローチャートである。
【００８４】
S501．端末デバイス100は、レンズ170を起動し、プレビューインターフェースを表示ユニット160に表示する。プレビューインターフェースは、撮影対象を含む。
【００８５】
S501の説明については、図2に示されている実施形態のS201の説明を参照されたい。本明細書を簡潔にするために、ここでは詳細は再度説明されない。
【００８６】
S502．端末デバイス100は、プレビューインターフェース内の撮影対象が予め設定された期間にわたって継続的かつ安定的に表示されたと判定する。
【００８７】
可能な実施態様については、図3をさらに参照されたい。端末デバイス100は、予め設定された期間内にプレビューインターフェースの3つのフレームを収集し得る。プレビューインターフェースの3つのフレーム間の類似度が予め設定された類似度より高い場合、プレビューインターフェースは安定して表示されたとみなされる。端末デバイス100は、プレビューインターフェースの3つのフレームの中からプレビューインターフェースの1つのフレームを選択し得る、例えば、プレビューインターフェースの収集された最後のフレーム、すなわちプレビューインターフェースの（n＋2）番目のフレームを選択し得る。次に、端末デバイス100は、プレビューインターフェースの選択された（n＋2）番目のフレーム内の特徴情報を識別することによって撮影対象のシーンの情報を識別する。
【００８８】
別の可能な実施態様については、図6をさらに参照されたい。端末デバイス100は、端末デバイス100のモーションセンサを使用して、端末デバイス100が予め設定された期間内で静止状態にあったことを検出する。この場合、端末デバイス100は、プレビューインターフェースは安定して表示されたとみなす。端末デバイス100は、時点t2で、プレビューインターフェースの1つ以上のフレームを収集し得る。次に、端末デバイス100は、収集されたプレビューインターフェース内の特徴情報を使用して撮影対象のシーンの情報を識別する。具体的には、端末デバイス100が時点t2でプレビューインターフェースのフレームを収集する場合、端末デバイス100は、プレビューインターフェース内の特徴情報を使用して撮影対象のシーンの情報を識別する。端末デバイス100が時点t2で複数のプレビューインターフェースを収集する場合、端末デバイス100は、複数のプレビューインターフェースの中から、より良い効果を有するプレビューインターフェースのフレームを選択し得る、例えば、複数のプレビューインターフェースの中から、比較的高い鮮明度を有するプレビューインターフェースのフレームを選択し得る。次に、端末デバイス100は、選択されたプレビューインターフェース内の特徴情報を使用して撮影対象のシーンの情報を識別する。
【００８９】
この方法において、端末デバイス100は、プレビューインターフェースをリアルタイムで収集する必要がない。端末デバイス100は、プレビューインターフェースが安定して表示されたと判定した後にのみ、プレビューインターフェースを収集する。次に、端末デバイス100は、収集されたプレビューインターフェース内の特徴情報を使用して撮影対象のシーンの情報を識別し、さらに、シーンの情報に基づいて適切な撮影モードを判定する。この方法において、メモリリソースが削減され、計算リソースおよび計算時間が削減され、効率が改善される。
【００９０】
S503．端末デバイス100は、撮影対象のシーンを識別し、識別されたシーンの情報に基づいて適切な撮影モードを判定する。シーンの情報は、人物画像シーン、風景シーン、夜景シーン、緑色植物シーン、および雪景色シーンなどを含むが、これらに限定されない。
【００９１】
本出願の本実施形態では、プレビューインターフェースが予め設定された期間にわたって継続的かつ安定的に表示されたと判定した後、端末デバイス100は、ユーザが撮影角度を探すプロセスを完了したと、言い換えれば、現在のプレビューインターフェースに表示されている撮影対象がユーザが撮影するつもりのシーンであるとみなす。したがって、端末デバイス100は、撮影対象のシーンの情報を識別し、識別されたシーンの情報に基づいて適切な撮影モードを判定する。詳細については、図2に示されている実施形態のS202の説明を参照されたい。
【００９２】
この方法において、端末デバイス100は、撮影対象に対するシーン識別をリアルタイムで実行する必要がない。プレビューインターフェースは安定していると判定した後にのみ、端末デバイス100は、シーン識別を実行し、撮影モードを判定するプロセスを実行し、このため、計算リソースおよび計算時間が削減され、計算効率が改善される。S503において、端末デバイス100が識別されたシーンの情報に基づいて適切な撮影モードを判定する方法は、図2に示されている実施形態のS202と同様である。本明細書を簡潔にするために、ここでは詳細は再度説明されない。
【００９３】
S504．端末デバイス100は、第1のプロンプト情報を出力し、第1のプロンプト情報は、適合した撮影モードをユーザに推奨するために使用される。
【００９４】
S505．端末デバイス100は、ユーザが推奨撮影モードを選択したかどうかを判定する。いいえの場合は、S506が実行され、またははいの場合は、撮影モードの現在の推奨プロセスは完了する。
【００９５】
S506．端末デバイス100は、ユーザによって選択された別の撮影モードを記録し、ユーザがこの別の撮影モードを選択した回数が予め設定された回数を超えた場合、この別の撮影モードと識別されたシーンの情報との間のマッピング関係を確立する。
【００９６】
S504からS506の説明については、図2に示されている実施形態のS204からS206の説明を参照されたい。本明細書を簡潔にするために、ここでは詳細は再度説明されない。
【００９７】
例えば、図7Aから図7Eは、端末デバイスが画像を撮影するときの表示画面の表示ステータスを示す概略図である。図7Aから図7Eでは、例えば、端末デバイスは携帯電話である。
【００９８】
図7Aにおいて、ユーザは、携帯電話700のカメラを起動し、レンズを起動する。ユーザは、撮影のために、起動されたレンズをアリスに合わせる。カメラのプレビューインターフェース701に、アリスの画像が表示される。携帯電話700は、シーンの情報は人物画像シーンであると判定し、人物画像シーンに対応する撮影モードは人物画像モードであると判定する。携帯電話700によって第1のプロンプト情報を出力することについては、図7Bを参照されたい。
【００９９】
図7Bにおいて、携帯電話700は、プレビューインターフェース701に第1のプロンプト情報を表示し、第1のプロンプト情報は、アイコン702の形式で表示される。アイコン702は、推奨撮影モードに対応する画像であり得る。推奨撮影モードは人物画像モードであるため、表示されるアイコン702は、人物画像モードのアイコンである。もちろん、アイコン702の形式に加えて、第1のプロンプト情報は、テキストまたは画像などの別の形式で表示されてもよい。
【０１００】
具体的には、プレビューインターフェース701における第1のプロンプト情報の表示位置は、本出願の本実施形態では特に限定されない。例えば、第1のプロンプト情報は、撮影コントロール703の近くに表示されてもよく、これにより、ユーザは、第1のプロンプト情報を容易に視認し得、ユーザは、第1のプロンプト情報に対する操作を実行し得る。
【０１０１】
携帯電話700がアイコン702をプレビューインターフェース701に表示した後、ユーザが推奨撮影モードについて知りたい場合、ユーザは、推奨撮影モードの詳細情報を開くために、特定のトリガ操作を行うことによってアイコン702をトリガし得る。図7Cを参照されたい。
【０１０２】
図7Cにおいて、ユーザがアイコン702をタップすると、携帯電話700は、人物画像撮影モードの紹介カード704を開き、これにより、ユーザは、携帯電話700によって推奨されている撮影モードの詳細を知る。これは、ユーザが推奨撮影モードを使用するかどうかを判断するのを助け得る。ユーザは、紹介カードの閉じるコントロールを使用して紹介カード704を閉じてもよいし、またはユーザは、プレビューインターフェース内の任意の位置をタッチすることによって紹介カード704を閉じてもよい。紹介カード704が閉じられた後、携帯電話700は、依然としてアイコン702を表示し得る。ユーザが推奨撮影モードを使用したい場合、ユーザは、別のトリガ操作を行うことによってアイコン702をトリガし得る。例えば、ユーザはアイコン702をダブルタップしてもよく、その結果、携帯電話700は人物画像モードを有効にする。
【０１０３】
例については、図7Bをさらに参照されたい。ユーザが推奨された人物画像モードを選択したため、携帯電話700は、プレビューインターフェースで人物画像モードのアイコン702を強調表示し得る。ユーザは、アイコン702が強調表示されたかどうかを見ることによって、正常に人物画像モードに入っているかどうかを判断し得る。
【０１０４】
別の例については、図7Dを参照されたい。プレビューインターフェースを覆い隠すことを回避するために、ユーザが推奨された人物画像モードを選択した後、携帯電話700は、プレビューインターフェース701でアイコン702を非表示にし、人物画像モードの強調表示されたアイコン702をアイコン表示バー705に表示し得る。
【０１０５】
ユーザが推奨された人物画像モードを使用したくないが、別のモードを試したい場合、ユーザは、特定の撮影モードをトリガすることによってコントロールを選択し得るし、またはユーザの指またはスタイラスが、プレビューインターフェース701内の任意の位置で右にスライドされ、携帯電話700は、プレビューインターフェース701に撮影モード選択インターフェース706を表示する。図7Eを参照されたい。
【０１０６】
図7Eにおいて、撮影モード選択インターフェース706が、携帯電話700のプレビューインターフェース701に表示されている。ユーザは、撮影モード選択インターフェース706から所望の撮影モードを選択し得る。
【０１０７】
前述の内容から、撮影モードが、携帯電話が画像を撮影するときに設定されるパラメータのセットとして理解され得ることが知られ得る。推奨撮影モードに入った後、携帯電話700は、撮影モードに関連するパラメータをさらに表示し得る。図7Fに示されているように、携帯電話700は、表示ウィンドウ707を表示し、表示ウィンドウ707は、携帯電話700によって現在使用されている撮影モードに対応するパラメータを表示する。図7Fでは、例として、絞りおよびブライトネスが使用されている。また、表示ウィンドウ707は、追加コントロール708をさらに含む。可能な実施態様では、ユーザは、携帯電話700での撮影に関連するすべてのパラメータのアイコンを表示するために追加コントロール708をトリガし得、ユーザは、これらすべてのパラメータのアイコンの中からいくつかのパラメータのアイコンを選択し、これらを表示ウィンドウ707に追加し得る。パラメータが表示ウィンドウ707に追加されたら、携帯電話700は、パラメータを読み込む。言い換えれば、携帯電話700は、ユーザが撮影モードのパラメータのセットを調整したと、例えば、パラメータを追加または削除したとみなす。
【０１０８】
例えば、ユーザは、表示ウィンドウ707内のパラメータのアイコンをさらにタップし得、次に、携帯電話700は、入力ボックスを表示し、入力ボックスにはパラメータの値が表示され、ユーザは、値を変更し得る、例えば、値を増加または減少させ得る。ユーザが値を変更した後、携帯電話700は、ユーザの変更後に取得された値を保存し、変更された値を使用してパラメータを読み込む。
【０１０９】
もちろん、携帯電話700が、ユーザが同じ撮影モードのパラメータの値を変更した回数が予め設定された回数より多いことを検出したときに、携帯電話700は、ユーザの変更後に取得されたパラメータ値を保存する。この撮影モードが次に使用されるとき、変更された値を使用してパラメータが自動的に読み込まれる。
【０１１０】
本出願の様々な実施態様は、異なる技術的効果を達成するためにランダムに組み合わされ得る。
【０１１１】
本出願で提供される実施形態では、本出願の実施形態で提供される方法は、端末デバイスが実行体として使用される観点から説明されている。本出願の実施形態で提供される方法における機能を実施するために、端末デバイスは、ハードウェア構造および／またはソフトウェアモジュールを含み、ハードウェア構造、ソフトウェアモジュール、またはハードウェア構造とソフトウェアモジュールの組み合わせの形態で機能を実施し得る。機能のうちの特定の機能がハードウェア構造、ソフトウェアモジュール、またはハードウェア構造とソフトウェアモジュールの組み合わせを使用して実行されるかどうかは、特定の用途および技術的解決策の設計制約に依存する。
【０１１２】
同じ概念に基づいて、図8は、本出願による端末デバイス800を示している。端末デバイス800は、画像撮影機能を有する端末デバイスであり得る。図8に示されているように、端末デバイス800は、処理ユニット801および表示ユニット802を含む。
【０１１３】
処理ユニット801は、端末デバイス800のレンズを起動するように構成される。
【０１１４】
表示ユニット802は、プレビューインターフェースを表示し、プレビューインターフェースは、撮影対象を含む、ように構成される。
【０１１５】
表示ユニットは、プレビューインターフェースが予め設定された期間にわたって安定して表示されたと処理ユニット801が判定した場合に、撮影モードの第1のプロンプト情報を表示し、第1のプロンプト情報は、第1の撮影モードをユーザに推奨するために使用され、第1の撮影モードは、撮影対象のシーンの情報に基づいて処理ユニット801によって判定される、ようにさらに構成される。
【０１１６】
任意選択で、プレビューインターフェースが予め設定された期間にわたって安定して表示された後、処理ユニット801は、撮影対象に含まれる、少なくとも1つのタイプのシーンの情報を識別し、撮影対象が1つのタイプのシーンの情報を含む場合、シーンの情報、およびシーンの情報と撮影モードとの間の第1のマッピング関係に基づいて、シーンの情報に対応する第1の撮影モードを判定するか、または撮影対象が少なくとも2つのタイプのシーンの情報を含む場合、シーンの情報、およびシーンの情報と撮影モードとの間の第1のマッピング関係に基づいて、少なくとも2つの撮影モードを取得するために少なくとも2つのタイプのシーンの情報のそれぞれに対応する撮影モードを判定し、優先度ポリシーに従って少なくとも2つの撮影モードの中から第1の撮影モードを選択し、優先度ポリシーは、少なくとも2つの撮影モードの優先度を含む、ようにさらに構成される。
【０１１７】
任意選択で、プレビューインターフェースが予め設定された期間にわたって安定して表示される前、処理ユニット801は、プレビューインターフェースのn個のフレームを収集し、nは、1以上の整数であり、プレビューインターフェースのn個のフレームのそれぞれに含まれる撮影対象の、少なくとも1つのタイプのシーンの情報を識別し、少なくとも1つのタイプのシーンの情報に基づいて、プレビューインターフェースの各フレームに適合する撮影モードを判定するようにさらに構成される。表示ユニット802は、プレビューインターフェースに第1のプロンプト情報を表示し、第1のプロンプト情報は、第1の撮影モードをユーザに推奨するために使用され、第1の撮影モードは、プレビューインターフェースのn個のフレームのうちのプレビューインターフェースの最後のフレームに適合する撮影モードである、ように特に構成される。
【０１１８】
任意選択で、処理ユニット801が、プレビューインターフェースが予め設定された期間にわたって安定して表示されたかどうかを判定するように構成されるとき、処理ユニット801は、予め設定された期間内にプレビューインターフェースの少なくとも2つのフレームを収集し、プレビューインターフェースの少なくとも2つのフレーム間の類似度が予め設定された類似度より高い場合に、プレビューインターフェースは予め設定された期間にわたって安定して表示されたと判定するか、またはモーションセンサを使用して、処理ユニット801が予め設定された期間内で静止状態にあったかどうかを検出し、端末デバイスが予め設定された期間内で静止状態にあった場合、プレビューインターフェースは予め設定された期間にわたって安定して表示されたと判定するように特に構成される。
【０１１９】
任意選択で、第1のプロンプト情報は、第1のアイコンを含み、第1のアイコンは、第1の撮影モードを識別するために使用され、表示ユニットは、プレビューインターフェース内の第1の表示領域に第1のアイコンを表示するように特に構成される。処理ユニット801は、第1のアイコンに対する第1の操作に応答して、第1の撮影モードに対応するパラメータを読み込む。
【０１２０】
任意選択で、表示ユニット802は、プレビューインターフェース内の第2の表示領域に第1のパラメータセットを表示するようにさらに構成される。表示ユニット802は、第2の操作に応答して、変更された第2のパラメータセットを表示し、第2のパラメータセットは、第1のパラメータセット内の第1のパラメータが変更された後に取得されるパラメータセットである、ようにさらに構成される。処理ユニット801は、第2のパラメータセットを読み込むようにさらに構成される。
【０１２１】
任意選択で、第1のパラメータが予め設定された回数を超えて変更された場合、処理ユニット801は、第2のパラメータセットと第1の撮影モードとの間の第3のマッピング関係を確立するようにさらに構成される。処理ユニット801は、第3のマッピング関係を第2のマッピング関係に追加するようにさらに構成される。
【０１２２】
任意選択で、表示ユニット802は、処理ユニット801が第1のアイコンに対する第2の操作に応答した後、プレビューインターフェースに第1の情報を表示し、第1の情報は、第1の撮影モードを説明するテキスト情報である、ようにさらに構成される。
【０１２３】
任意選択で、表示ユニット802は、プレビューインターフェースに第2のプロンプト情報を表示し、第2のプロンプト情報は、端末デバイスが第1の撮影モードに現在あることをユーザに思い出させるために使用される、ようにさらに構成される。
【０１２４】
任意選択で、ユーザが、第1のプロンプト情報を使用して推奨された第1の撮影モード以外の別の撮影モードを選択した場合、処理ユニット801は、ユーザが別の撮影モードを選択した回数が予め設定された回数を超えたかどうかを判定し、ユーザが別の撮影モードを選択した回数が予め設定された回数を超えたときに、撮影シーンの、1つのタイプのシーンの情報のみがある場合、別の撮影モードとシーンの情報との間の第2のマッピング関係を使用して第1のマッピング関係を更新するか、または撮影シーンの、少なくとも2つのタイプのシーンの情報がある場合、別の撮影モードの第1の優先度を第2の優先度に設定し、第2の優先度は、第1の優先度より高い、ようにさらに構成される。端末デバイスは、別の撮影モードの第2の優先度を使用して優先度ポリシーを更新する。
【０１２５】
単純な実施形態では、当業者は、端末デバイス800が、図9に示されている構造を使用することによってさらに実施されることを理解し得る。
【０１２６】
図9に示されているように、端末デバイス900は、メモリ901、プロセッサ902、およびバス903を含む。メモリ901とプロセッサ902は、バス903を使用して接続される。メモリ901は、コンピュータ実行可能命令を記憶するように構成される。端末デバイス900が動作するとき、プロセッサ902は、メモリ901に記憶されたコンピュータ実行可能命令を実行し、これにより、端末デバイス900は、図2または図5に示されている実施形態で提供されるインテリジェント支援制御方法を実施する。特定のインテリジェント支援制御方法については、前述の説明および添付の図面の関連説明を参照されたい。本明細書を簡潔にするために、ここでは詳細は再度説明されない。
【０１２７】
前述の実施態様の説明により、当業者は、本出願の実施形態がハードウェア、ファームウェア、またはこれらの組み合わせによって実施され得ることを明確に理解し得る。実施形態を実施するためにソフトウェアが使用される場合、前述の機能は、コンピュータ可読媒体に記憶されてもよいし、またはコンピュータ可読媒体で1つ以上の命令またはコードとして送信されてもよい。コンピュータ可読媒体は、コンピュータ記憶媒体および通信媒体を含む。通信媒体は、コンピュータプログラムがある場所から別の場所に送信されることを可能にする任意の媒体を含む。記憶媒体は、コンピュータにアクセス可能な任意の利用可能な媒体であり得る。これは例として使用されるが、これに限定されず、コンピュータ可読媒体は、RAM、ROM、電気的に消去可能なプログラマブル読み出し専用メモリ（electrically erasable programmable read−only memory、EEPROM）、コンパクトディスク読み出し専用メモリ（compact disc read−Only memory、CD−ROM）もしくは別のコンパクトディスク記憶装置、磁気ディスク記憶媒体もしくは別の磁気記憶デバイス、または命令もしくはデータ構造の形式で所望のプログラムコードを保持または記憶するように構成され得る、コンピュータによってアクセスされ得る任意の他の媒体を含み得る。また、接続は、コンピュータ可読媒体として適切に規定され得る。例えば、ソフトウェアが、同軸ケーブル、光ファイバケーブル、ツイストペア、デジタル加入者回線（digital subscriber line、DSL）、または赤外線技術、無線技術、およびマイクロ波技術などのワイヤレス技術を使用してウェブサイト、サーバ、または別の遠隔ソースから送信される場合、同軸ケーブル、光ファイバケーブル、ツイストペア、DSL、または赤外線技術、無線技術、およびマイクロ波技術などのワイヤレス技術は、それらが属する媒体の規定に含まれる。本出願の実施形態で使用されるディスク（disk）およびディスク（disc）は、コンパクトディスク（compact disc、CD）、レーザディスク、光ディスク、デジタルビデオディスク（digital video disc、DVD）、フロッピーディスク、およびブルーレイディスクを含む。ディスク（disk）は、一般に磁気的にデータを再生成し、ディスク（disc）は、レーザを使用して光学的にデータを再生成する。前述の組み合わせも、コンピュータ可読媒体の保護範囲内にあるものとする。
【０１２８】
前述の説明は、本出願の特定の実施態様にすぎず、本出願の保護範囲を限定することを意図されていない。本出願で開示された技術的範囲内で当業者によって容易に考え出されるいかなる変形または置換も、本出願の保護範囲内にあるものとする。したがって、本出願の保護範囲は、特許請求の範囲の保護範囲に従うものとする。
【符号の説明】
【０１２９】
100  端末デバイス
110  RF回路
120  電源
130  プロセッサ
140  メモリ
150  入力ユニット
151  タッチパネル
152  他の入力デバイス
160  表示ユニット
161  表示パネル
170  レンズ
180  通信インターフェース
190  Wi−Fiモジュール
700  携帯電話
701  プレビューインターフェース
702  アイコン
703  撮影コントロール
704  紹介カード
705  アイコン表示バー
706  撮影モード選択インターフェース
707  表示ウィンドウ
708  追加コントロール
800  端末デバイス
801  処理ユニット
802  表示ユニット
900  端末デバイス
901  メモリ
902  プロセッサ
903  バス
【図１】
2021517413.tif 000005
【図２】
2021517413.tif 000006
【図３】
2021517413.tif 000007
【図４Ａ】
2021517413.tif 000008
【図４Ｂ】
2021517413.tif 000009
【図５】
2021517413.tif 000010
【図６】
2021517413.tif 000011
【図７Ａ】
2021517413.tif 000012
【図７Ｂ】
2021517413.tif 000013
【図７Ｃ】
2021517413.tif 000014
【図７Ｄ】
2021517413.tif 000015
【図７Ｅ】
2021517413.tif 000016
【図７Ｆ】
2021517413.tif 000017
【図８】
2021517413.tif 000018
【図９】
2021517413.tif 000019
【手続補正書】
【提出日】令和2年11月6日(2020.11.6)
【手続補正１】
【補正対象書類名】特許請求の範囲
【補正対象項目名】全文
【補正方法】変更
【補正の内容】
【特許請求の範囲】
【請求項１】
インテリジェント支援制御方法であって、前記方法は、
端末デバイスによってレンズを起動するステップと、
前記端末デバイスによって、表示画面上にプレビューインターフェースを表示するステップであって、前記プレビューインターフェースは、撮影対象を含む、ステップと、
前記端末デバイスによって、前記撮影対象に含まれる少なくとも2つのタイプのシーンの情報を識別するステップと、
優先度ポリシー、およびシーンの情報と撮影モードとの間の第1のマッピング関係に従って第1の撮影モードを判定するステップであって、前記優先度ポリシーは、前記少なくとも2つの撮影モードの優先度を含む、ステップと、
前記プレビューインターフェース内の前記撮影対象が予め設定された期間にわたって安定して表示されたと前記端末デバイスが判定した場合に、前記端末デバイスによって、前記第1の撮影モードの第1のプロンプト情報を前記プレビューインターフェースに表示するステップであって、前記第1のプロンプト情報は、第1の撮影モードをユーザに推奨するために使用される、ステップと
を含む、インテリジェント支援制御方法。
【請求項２】
前記端末デバイスによって、前記撮影対象に含まれる少なくとも2つのタイプのシーンの情報を識別し、優先度ポリシー、およびシーンの情報と撮影モードとの間の第1のマッピング関係に従って第1の撮影モードを判定する前記ステップであって、前記優先度ポリシーは、前記少なくとも2つの撮影モードの優先度を含む、前記ステップは、
前記端末デバイスによって、プレビューインターフェースのn個のフレームを収集するステップであって、nは、1以上の整数である、ステップと、
前記端末デバイスによって、プレビューインターフェースの前記n個のフレームのそれぞれに含まれる前記撮影対象の、少なくとも2つのタイプのシーンの情報を識別するステップと、
前記端末デバイスによって、前記少なくとも2つのタイプのシーンの情報に基づいて、プレビューインターフェースの前記フレームのそれぞれに適合する撮影モードを判定するステップと、
プレビューインターフェースの前記n個のフレームのうちのプレビューインターフェースの最後のフレームに適合する撮影モードとして前記第1の撮影モードを判定するステップと
を含む、請求項1に記載の方法。
【請求項３】
前記端末デバイスが、前記プレビューインターフェース内の前記撮影対象が安定して表示される前記予め設定された期間を決定し、
前記端末デバイスによって、前記予め設定された期間内にプレビューインターフェースの少なくとも2つのフレームを収集するステップ、
プレビューインターフェースの前記少なくとも2つのフレーム間の類似度が予め設定された類似度より高い場合に、前記プレビューインターフェース内の前記撮影対象は前記予め設定された期間にわたって安定して表示されたと判定するステップ、または
前記端末デバイスによってモーションセンサを使用して、前記端末デバイスが前記予め設定された期間内で静止状態にあったかどうかを検出するステップ、および
前記端末デバイスが前記予め設定された期間内で静止状態にあった場合に、前記プレビューインターフェース内の前記撮影対象は前記予め設定された期間にわたって安定して表示されたと判定するステップ
を含む、請求項1または2に記載の方法。
【請求項４】
前記第1のプロンプト情報は、第1のアイコンを含み、前記第1のアイコンは、前記第1の撮影モードを識別するために使用され、前記端末デバイスによって第1のプロンプト情報を表示する前記ステップは、
前記端末デバイスによって、前記プレビューインターフェース内の第1の表示領域に前記第1のアイコンを表示するステップであって、前記端末デバイスは、前記第1のアイコンに対する第1の操作に応答して、撮影モードとパラメータセットとの間の第2のマッピング関係に基づいて、前記第1の撮影モードに対応する第1のパラメータセットを読み込む、ステップ
を含む、請求項1から3のいずれか一項に記載の方法。
【請求項５】
前記方法は、
前記端末デバイスによって、前記プレビューインターフェース内の第2の表示領域に前記第1のパラメータセットを表示するステップと、
前記端末デバイスによって、第2の操作に応答して、変更された第2のパラメータセットを表示するステップであって、前記第2のパラメータセットは、前記第1のパラメータセット内の第1のパラメータが変更された後に取得されるパラメータセットである、ステップと、
前記端末デバイスによって、前記第2のパラメータセットを読み込むステップと
をさらに含む、請求項4に記載の方法。
【請求項６】
前記方法は、
前記第1のパラメータが予め設定された回数を超えて変更された場合に、前記端末デバイスによって、前記第2のパラメータセットと前記第1の撮影モードとの間の第3のマッピング関係を確立するステップと、
前記端末デバイスによって、前記第3のマッピング関係を前記第2のマッピング関係に追加するステップと
をさらに含む、請求項5に記載の方法。
【請求項７】
前記方法は、
前記端末デバイスによって、前記第1のアイコンに対する第2の操作に応答して前記プレビューインターフェースに第1の情報を表示するステップであって、前記第1の情報は、前記第1の撮影モードを説明するテキスト情報である、ステップ
をさらに含む、請求項4から6のいずれか一項に記載の方法。
【請求項８】
前記方法は、
前記端末デバイスによって、前記プレビューインターフェースに第2のプロンプト情報を表示するステップであって、前記第2のプロンプト情報は、前記端末デバイスが前記第1の撮影モードに現在あることを前記ユーザに思い出させるために使用される、ステップ
をさらに含む、請求項4から7のいずれか一項に記載の方法。
【請求項９】
前記ユーザが、前記第1のプロンプト情報を使用して推奨された前記第1の撮影モード以外の別の撮影モードを選択した場合に、前記方法は、
前記端末デバイスによって、前記ユーザが前記別の撮影モードを選択した回数が予め設定された回数を超えたかどうかを判定するステップ、および前記ユーザが前記別の撮影モードを選択した前記回数が前記予め設定された回数を超えたときに、
前記端末デバイスによって、前記別の撮影モードの第1の優先度を第2の優先度に設定し、前記第2の優先度は、前記第1の優先度より高く、前記端末デバイスによって、前記別の撮影モードの前記第2の優先度を使用して前記優先度ポリシーを更新するステップ
をさらに含む、請求項1から8のいずれか一項に記載の方法。
【請求項１０】
端末デバイスであって、前記端末デバイスは、プロセッサ、レンズ、表示画面、およびメモリを備え、前記プロセッサは、前記レンズを起動するように構成されており、
前記表示画面は、前記プロセッサの命令に従って内容を表示するように構成されており、
前記プロセッサは、請求項1から9のいずれか一項に記載の方法を実行するために、前記メモリ内の命令を呼び出す、
端末デバイス。
【請求項１１】
コンピュータ可読記憶媒体であって、前記コンピュータ可読記憶媒体は、コンピュータプログラムを含み、前記コンピュータプログラムが端末デバイス上で実行されるとき、前記端末デバイスは、請求項1から9のいずれか一項に記載の方法を実行することが可能である、コンピュータ可読記憶媒体。
【手続補正２】
【補正対象書類名】明細書
【補正対象項目名】００３３
【補正方法】変更
【補正の内容】
【００３３】
本出願の本実施形態では、撮影装置は、端末デバイス100の、画像撮影機能を有するアプリケーション（APP）、例えば、端末デバイス100に含まれるカメラであり得る。あるいは、撮影装置は、端末デバイス100にインストールされたサードパーティのアプリケーション、例えば、Sweet Camera、Editor＆Filters、Beauty Camera、WeChat、Alipay、Tencentのチャットソフトウェア（QQ）、DingTalk、写真共有（instagram）、Kakao Talk、またはラインなどの画像撮影機能を有するアプリケーションであってもよい。
【手続補正３】
【補正対象書類名】明細書
【補正対象項目名】０１２７
【補正方法】変更
【補正の内容】
【０１２７】
前述の実施態様の説明により、当業者は、本出願の実施形態がハードウェア、ファームウェア、またはこれらの組み合わせによって実施され得ることを明確に理解し得る。実施形態を実施するためにソフトウェアが使用される場合、前述の機能は、コンピュータ可読媒体に記憶されてもよいし、またはコンピュータ可読媒体で1つ以上の命令またはコードとして送信されてもよい。コンピュータ可読媒体は、コンピュータ記憶媒体および通信媒体を含む。通信媒体は、コンピュータプログラムがある場所から別の場所に送信されることを可能にする任意の媒体を含む。記憶媒体は、コンピュータにアクセス可能な任意の利用可能な媒体であり得る。これは例として使用されるが、これに限定されず、コンピュータ可読媒体は、RAM、ROM、電気的に消去可能なプログラマブル読み出し専用メモリ（EEPROM）、コンパクトディスク読み出し専用メモリ（CD−ROM）もしくは別のコンパクトディスク記憶装置、磁気ディスク記憶媒体もしくは別の磁気記憶デバイス、または命令もしくはデータ構造の形式で所望のプログラムコードを保持または記憶するように構成され得る、コンピュータによってアクセスされ得る任意の他の媒体を含み得る。また、接続は、コンピュータ可読媒体として適切に規定され得る。例えば、ソフトウェアが、同軸ケーブル、光ファイバケーブル、ツイストペア、デジタル加入者回線（DSL）、または赤外線技術、無線技術、およびマイクロ波技術などのワイヤレス技術を使用してウェブサイト、サーバ、または別の遠隔ソースから送信される場合、同軸ケーブル、光ファイバケーブル、ツイストペア、DSL、または赤外線技術、無線技術、およびマイクロ波技術などのワイヤレス技術は、それらが属する媒体の規定に含まれる。本出願の実施形態で使用されるディスクおよびディスクは、コンパクトディスク（CD）、レーザディスク、光ディスク、デジタルビデオディスク（DVD）、フロッピーディスク、およびブルーレイディスクを含む。ディスクは、一般に磁気的にデータを再生成し、ディスクは、レーザを使用して光学的にデータを再生成する。前述の組み合わせも、コンピュータ可読媒体の保護範囲内にあるものとする。
【国際調査報告】
2021517413.tif 000020
2021517413.tif 000021
2021517413.tif 000022
2021517413.tif 000023
2021517413.tif 000024
2021517413.tif 000025